(57)【要約】      （修正有）【課題】カメラ単体で、カルテの撮像と臨床部（ダーモスコープ像を撮る体の領域、腕、手、背中等）を撮像してから、ダーモスコープ像を撮像する。これにより、ＳＤカード等に順番に撮られているので患者の画像が特定され,患者とその患者用に撮像された撮像画像が取り違いを防ぐ事が出来る。【解決手段】最終的に取り付けた時には精度のある位置関係で固定される必要があり、光学中心がずれないことが必要である。この実現のため、強い引き合う磁石を使って実現させる。円筒形の円周上に複数個磁石を配置して光軸と平行して引き合う力が働く。磁石の中心が磁力が強いのでその場所で引き合って止まり、その配置場所によって最終的に固定の場所の精度が決まる。又、円筒を反時計方向に廻すと磁石の磁力は横方向となり磁力は弱くなりそれほどの回転力は必要でなく取り外しが容易となる。【選択図】図１
2018005070.tif 000002
【特許請求の範囲】
【請求項１】
皮膚等を観察記録するためのダーモスコープに用いるマウント部とアダプター部からなるダーモスコープ用アダプターであって、位置決め用マーク、出っ張り部、皮膚接触用光学ガラス、照明用ＬＥＤ、拡大用の光学レンズ、複数個の直径３〜７ｍｍのネオジューム磁石を間隔をおいて配置したマウント部を有するプラスチック製アダプター部と、カメラに接続するためのネジ部、カメラを固定するための固定ネジ、ロック時にアダプターに設けた磁石に対応する位置に設けた逆極性のネオジューム磁石、該出っ張り部に対応した位置にあるくぼみ部、接続用位置決めマークを有するプラスチックマウント部を有することを特徴とするダーモスコープ用アダプター。
【請求項２】
アダプター部とマウント部が相対する位置に止めるための両端ストッパー部を有するマウント部であることを特徴とする請求項１記載のダーモスコープ用アダプター。
【請求項３】
請求項１または２に記載のダーモスコープ用アダプターを取り付けたことを特徴とするダーモスコープカメラ。
【発明の詳細な説明】
【技術分野】
【０００１】
本発明は、ダーモスコープでデジタルカメラとダーモスコープ用アダプターが簡単に取り外しが出来る装置に関するものである。
【背景技術】
【０００２】
通常デジタルダーモスコープ（デジタルカメラで所定の大きさの皮膚の色素沈着等を拡大撮像するもの）は、デジタルカメラにダーモスコープモジュールを取り付けて皮膚表面と真皮を観察することが可能になるシステムである。この時デジタルカメラとモジュールを接合する場合は、両者に光学レンズがあり、光学的に光軸のずれを出来る限り少なくして、かつ、カメラのみの撮像する必要があり、容易に着脱できる必要性があります。
【先行技術文献】
【特許文献】
【０００３】
【特許文献１】特開２００８−０７６９１６号公報
【特許文献２】特開２０１５−０２２０３５号公報
【発明の概要】
【発明が解決しようとする課題】
【０００４】
ダーモスコープは皮膚の色素沈着（ほくろ等）等を観察してがん診断する手段としても使われている。その際、ダーモスコープはデジタルカメラにダーモスコープモジュールを取り付けてシステムが完成する。その際、システムの機能として、カメラ単体で、カルテの撮像と臨床部（ダーモスコープ像を撮る体の領域、腕、手、背中等）を撮像してから、カメラ側の取り付けネジを利用してカメラアダプターのマウント部を取り付けてから、カメラアダプター（ダーモスコープモジュール）を取り付けてダーモスコープ像を撮像する。これにより、ＳＤカード等に順番に撮られているので患者の画像が特定される。患者とその患者用に撮像された撮像画像が取り違いを防ぐため、連続画像により実現する。アダプターをワンタッチで交換で簡単に交換できることが必要である。そのため、寸法上に余裕（ガタ）を持たせるが、磁石によってガタを吸収させる。又、モジュールの持つレンズがとカメラのレンズの光学中心が合うことも性能上必要なことも実現可能である。以上のシステムにおいて、２種類のアダプターの取り外しが容易にワンタッチに交換できて、光学中心がずれないシステムを構築する。
【課題を解決するための手段】
【０００５】
本発明は、ダーモスコープとして、カメラとダーモスコープモジュールを取り外し容易に出来るようにする為、多少寸法公差を大きくする。しかし、最終的な位置決めにするために永久磁石を利用する。
【発明の効果】
【０００６】
デジタルカメラにマウント部を装着して、ダーモスコープアダプターを容易に着脱出来るシステムで、永久磁石を利用して精度あるレンズ配置を可能にして、磁石との相性が良いプラスチックを採用する事により、コンパクトで軽量となり、女医が多い皮膚科医が簡便に取り扱いができ、カメラ単体画像の撮像とダーモスコープ像の撮像を可能にするデジタルダーモスコープの実現することができる。
【図面の簡単な説明】
【０００７】
【図１】デジタルダーモスコープの構成断面図
【図２】モジュール用アダプターとカメラ用アダプターの構成図
【図３】デジタルダーモスコープ断面図
【図４】カメラ用アダプター正面図
【図５】モジュール用アダプター正面図
【図６】永久磁石全体図
【図７】ストッパー部品図
【発明を実施するための形態】
【０００８】
本発明を実施例でもって説明する。
【実施例１】
【０００９】
図１にあるようにデジタルダーモスコープに応用した例を説明します。図１の１のカメラに接続するカメラ用マウント部と図１の４のカメラアダプター（ダーモスコープモジュール）を図に示してある。カメラのレンズ部は図２の７のようにズームにより出たり、入ったりします。カメラアダプターは内部に照明用ＬＥＤ(図３の１２）とその電源を持ち図１の６のスイッチのよりＯＮ／ＯＦＦできる。カメラアダプターは拡大のための光学レンズ（図３の１３）を持っている。又、カメラアダプターの取り付けの接続のため図１の３と図１の５のマーカーを配置する。図４には、カメラ用マウントの拡大図を示しています。図５にはアダプアター側の接続部にある１０の出っ張っているつばと凹部分と複数個の永久磁石を配置してある。図４のつばが入る溝を持った部分とつばが溝部まで落ち込む凹部分があり、同様に複数個の磁石が配置されています。それぞれの永久磁石（図６）の磁極はお互いに引き合うように反対の磁極を配置させる。マウント部とアダプターをマーカーに合わせて、接続させると互いに凸部と凹部がかみ合いつばが入り、アダプターを時計方向に回転させるとつばが溝に入りスムースに回転する。向き合う磁石が引き合うことになり回転が止まり、その状態が維持される。
【００１０】
通常ダーモスコープの前面のガラスにジェルを付け、皮膚に押し付けて接触させて撮像しますが、磁石の引き合う磁力と同じ方向で設置するため磁力が弱まることはなくなる。
円形の磁石を利用し磁石の直径が４ｍｍの場合、磁力の総磁力から５個ないし６個必要になり均等に配置する。直径５ｍｍないし６ｍｍの場合は、磁石は３個ないし４個程度必要となる。
【００１１】
磁石が精度良く配置されているため、カメラとアダプターのレンズの光学中心が一致する精度が得られる。丁度良い位置で止めるために、図７のようなストッパーをつばの溝に設置すればそれが可能になる。使用される磁石も小型で強力な磁石として、ネオジュームを利用するのが良い。マウント部及びカメラアダプターはプラスチック用いて軽量化出来る。切削が容易なデルリンが良い。
【符号の説明】
【００１２】
１:   カメラ
２：  カメラ用マウント部
３：  マウント部マーカー
４：  カメラアダプター部
５：  カメラアダプター部マーカー
６：  照明用スイッチ
７：  カメラのレンズ
８：  マウント部永久磁石
９：  溝
１０：  溝に入るつば
１１：  カメラアダプター部永久磁石
１２：  照明用ＬＥＤ
【図１】
2018005070.tif 000003
【図２】
2018005070.tif 000004
【図３】
2018005070.tif 000005
【図４】
2018005070.tif 000006
【図５】
2018005070.tif 000007
【図６】
2018005070.tif 000008
【図７】
2018005070.tif 000009